(57)【要約】【課題】器具本体２４にランプ１８を取り付けたまま施工でき、器具本体２４の外周部の化粧枠３３と天井材１３との密着性を高めた照明装置１１を提供する。【解決手段】器具本体２４の周辺域に枠形のランプ１８を配置し、器具本体２４の中央域に吊ボルト取付部２９を設ける。吊ボルト１５に対し吊ボルト取付部２９を取り付ける作業に必要な十分なスペースを確保し、器具本体２４にランプ１８を取り付けたまま施工可能とする。器具本体２４の周辺部に設けた天井取付手段３５で器具本体２４を天井材１３に支え、器具本体２４の周辺部の化粧枠３３と天井材１３との密着性を高める。【選択図】        図１
2004342416.tif 000002
【特許請求の範囲】
【請求項１】
天井側に埋め込み設置される器具本体と；
器具本体の周辺域に配置されるランプと；
器具本体のランプが配置される周辺域より内側の中央域に設けられ、天井側の吊ボルトに取り付けられる吊ボルト取付部と；
器具本体の天井側へ埋め込まれる周辺部に設けられ、天井側に対し取り付けられる天井取付手段と；
を具備していることを特徴とする照明装置。
【請求項２】
器具本体に吊ボルト取付部とランプとを隔離する隔壁部を設け、隔壁部内にランプを点灯させる点灯装置を設けた
ことを特徴とする請求項１記載の照明装置。
【請求項３】
ランプを保持し、器具本体に着脱可能なルーバーを備えた
ことを特徴とする請求項１または２記載の照明装置。
【発明の詳細な説明】
【０００１】
【発明の属する技術分野】
本発明は、天井側の吊ボルトを利用して天井側に埋め込み設置する照明装置に関する。
【０００２】
【従来の技術】
天井側に埋め込み設置する埋込形照明器具などの照明装置は、器具質量が３ｋｇ以上の場合、落下防止のために天井側の構造物に対し設置された吊ボルトで支持することが規定されている。
【０００３】
このような照明装置では、器具本体の中央部に吊ボルトに対して取り付けるための吊ボルト取付孔が形成されており、施工時には、器具本体を天井側の構造物の下方に設置された天井材の埋込孔に挿入しながら、吊ボルトを吊ボルト取付孔を通じて器具本体の下面に通し、吊ボルトの下端にナットを螺合して器具本体を締め上げ、器具本体の周辺部から突設された化粧枠を天井材に接触させている。
【０００４】
そして、器具本体の内部に反射体およびランプを収納する深形の照明装置では、まず器具本体のみを天井側に施工した後、この器具本体の内部に反射体およびランプを取り付けている（例えば、特許文献１参照）。
【０００５】
また、器具本体の下面に臨ませて３〜４本のコンパクト形蛍光ランプつまり片口金形蛍光ランプを配置する薄形の照明装置や、器具本体の下面に臨ませて２本の直管形蛍光ランプを配置する薄形の照明装置などでは、隣り合う２本のランプ間に吊ボルト取付孔が位置しているが、これら隣り合う２本のランプ間には吊ボルトに対するナットの締め付け作業に必要な十分なスペースがないため、ランプを外した状態で器具本体のみを施工した後、この器具本体にランプを取り付けている。
【０００６】
【特許文献１】
特開２００２−１０９９４５号公報（第２頁、図１０）
【０００７】
【発明が解決しようとする課題】
上述のように、深形の照明装置では、器具本体を施工した後にランプを取り付ける必要があり、また、薄形の照明装置では、隣り合う２本のランプ間に吊ボルトに対するナットの締め付け作業に必要な十分なスペースがないため、ランプを外した状態で器具本体を施工した後にランプを取り付ける必要があり、いずれも施工に手間および時間がかかる問題がある。
【０００８】
また、薄形で横幅が広いタイプの照明装置では、器具本体の中央部を吊ボルトで支持しても、器具本体の周辺部が下方へ撓み、器具本体の周辺部に設けられた化粧枠が天井材に十分に密着せず、隙間が生じて外観を損なうなどの問題がある。
【０００９】
本発明は、このような点に鑑みなされたもので、器具本体にランプを取り付けたまま施工可能とし、施工の手間や時間を低減でき、しかも、吊ボルトに取り付けられる器具本体の中央域に対して器具本体の周辺部が下方へ撓むのを防止し、器具本体の周辺部側と天井側との密着性を高めることができる照明装置を提供することを目的とする。
【００１０】
【課題を解決するための手段】
請求項１記載の照明装置は、天井側に埋め込み設置される器具本体と；器具本体の周辺域に配置されるランプと；器具本体のランプが配置される周辺域より内側の中央域に設けられ、天井側の吊ボルトに取り付けられる吊ボルト取付部と；器具本体の天井側へ埋め込まれる周辺部に設けられ、天井側に対し取り付けられる天井取付手段とを具備しているものである。
【００１１】
そして、この構成では、器具本体のランプが配置される周辺域より内側の中央域に吊ボルト取付部を設けることで、吊ボルトに対し吊ボルト取付部を取り付ける作業に必要な十分なスペースが確保されるため、器具本体にランプを取り付けたまま施工可能とし、施工の手間や時間が低減される。しかも、器具本体の天井側へ埋め込まれる周辺部に設けた天井取付手段により、器具本体の周辺部を天井側に対して支えるため、吊ボルトに取り付けられる器具本体の中央域に対して器具本体の周辺部が下方へ撓むのが防止され、器具本体の周辺部側と天井側との密着性が高まる。
【００１２】
請求項２記載の照明装置は、請求項１記載の照明装置において、器具本体に吊ボルト取付部とランプとを隔離する隔壁部を設け、隔壁部内にランプを点灯させる点灯装置を設けたものである。
【００１３】
そして、この構成では、吊ボルト取付部とランプとを隔壁部で隔離し、この隔壁部内にランプを点灯させる点灯装置を設けたため、ランプおよび点灯装置が確実に保護される。
【００１４】
請求項３記載の照明装置は、請求項１または２記載の照明装置において、ランプを保持し、器具本体に着脱可能なルーバーを備えたものである。
【００１５】
そして、この構成では、ランプとこのランプを保持したルーバーとが器具本体に対し一体に着脱可能で、ランプ交換が容易になる。
【００１６】
【発明の実施の形態】
以下、本発明の一実施の形態を図面を参照して説明する。
【００１７】
図１は照明装置の断面図、図２は照明装置の天井取付手段の拡大断面図、図３は照明装置の一部を切り欠いた下面図、図４は照明装置のランプおよびルーバーの取付方法を示す断面図である。
【００１８】
図において、１１は薄形の天井埋込形の照明装置で、この照明装置１１が設置される天井側１２には、図示しない構造物およびこの構造物の下方に離間して設置された天井材１３があり、天井材１３には照明装置１１を埋め込み設置するための埋込孔１４が形成され、この埋込孔１４の中央域上方に構造物から垂下された吊ボルト１５が設置されている。
【００１９】
照明装置１１では、外形寸法が異なる２本の枠形つまり四角形枠状（正方形枠状）のランプ１８が使用されている。各ランプ１８は、蛍光ランプであって、枠形つまり四角形枠状に形成された発光管１９、およびこの発光管１９の両端が接続される口金２０を有し、口金２０にはソケット接続用の複数の接点２１が設けられている。
【００２０】
照明装置１１は、ランプ１８の外形状に対応した四角形（正方形）の外形状に形成された薄形の器具本体２４を有し、この器具本体２４の下面には、周辺域に２本のランプ１８が配置される枠状つまり四角形枠状（正方形枠状）のランプ収納空間（ランプ配置部）２５が形成され、このランプ収納空間２５より内側の中央域に吊ボルト１５に対して取付作業するための四角形（正方形）の吊ボルト取付作業空間２６が形成され、これらランプ収納空間２５と吊ボルト取付作業空間２６とを隔離するように枠状つまり四角形枠状（正方形枠状）の隔壁部２７が下方に突出形成されている。ランプ収納空間２５および吊ボルト取付作業空間２６は器具本体２４の下方へ向けて開口され、隔壁部２７は器具本体２４の上方へ向けて開口されている。
【００２１】
ランプ収納空間２５には、器具本体２４の下方へ向け拡開開口されてランプ１８の光を下方へ反射させる反射面部２８が形成されている。ランプ収納空間２５内には、各ランプ１８の口金２０が接続される図示しないソケットがそれぞれ配置されている。
【００２２】
吊ボルト取付作業空間２６には、その中央域に吊ボルト１５に取り付けられる吊ボルト取付部２９が形成されている。この吊ボルト取付部２９は、吊ボルト１５が挿通される吊ボルト取付孔３０を有し、この吊ボルト取付孔３０に挿通された吊ボルト１５の下端にナット３１が螺着され、ナット３１の締め付けで器具本体２４が上方へ向けて締め上げられる。吊ボルト取付作業空間２６の下面には、吊ボルト取付部２９を覆って、吊ボルト取付作業空間２６の下面を閉塞するカバー３２が着脱可能に取り付けられている。
【００２３】
器具本体２４の周辺部には、天井材１３の下面に接触する化粧枠３３が形成されているとともに、この化粧枠３３から埋込孔１４の内側に入り込むガイド３４が立設されている。ガイド３４には、天井材１３の上面に取り付けられる複数の天井取付手段３５が取り付けられている。天井取付手段３５は、取付金具３６を有し、この取付金具３６の下端の係止部３６ａが器具本体２４の側方に対して進退可能とするように取付金具３６の上端の支点３７を介してガイド３４に回動可能に支持され、図示しないスプリングによって取付金具３６の下端の係止部３６ａが器具本体２４の側方へ突出するように付勢されている。
【００２４】
器具本体２４の隔壁部２７の内側には、各ランプ１８に対しソケットを通じて接続されて各ランプ１８をそれぞれ点灯させる点灯装置３９がそれぞれ配置されている。これら点灯装置３９は、器具本体２４の中央に対して反対となる位置にそれぞれ配置され、質量バランスが安定するように構成されている。
【００２５】
器具本体２４のランプ収納空間２５のランプ１８の下側位置には、ランプ１８の光を制光する枠状つまり四角形枠状（正方形枠状）のルーバー４２が着脱可能に配置されている。このルーバー４２は、反射面部２８の内周側に配置される内側枠部４３、外周側に配置される外側枠部４４、これら内側枠部４３と外側枠部４４との間でランプ１８の発光管１９の軸方向に対して交差する方向に架設された複数のバッフル４５を有している。ルーバー４２の四隅には、各ランプ１８を着脱可能に保持するホルダ４６がそれぞれ取り付けられている。そして、ルーバー４２は、図４に示すように、一辺を器具本体２４側に引っ掛けた状態で、他辺を器具本体２４に押し上げて図示しない可動爪などを着脱可能に係止させることで器具本体２４に装着でき、また、可動爪の係合を器具本体２４から外すことで装着時と逆の手順で器具本体２４から取り外すことができる。
【００２６】
そして、照明装置１１を天井側１２に施工する場合には、器具本体２４の上部側つまりガイド３４を天井材１３の埋込孔１４の内側に合わせて押し上げる。
【００２７】
器具本体２４の押し上げ過程で、ガイド３４の各取付金具３６の下端が天井材１３に当接し、スプリングによる付勢に抗して各取付金具３６の下端の係止部３６ａがガイド３４側に引っ込むように移動し、そして、化粧枠３３が天井材１３の下面に当接するとともに取付金具３６の下端の係止部３６ａが天井材１３の上方に乗り越えることで、各取付金具３６の下端の係止部３６ａがスプリングの付勢によって天井材１３の上面域に突出し、各取付金具３６の下端の係止部３６ａが天井材１３の上面に係止する。これで各取付金具３６の下端の係止部３６ａが天井材１３の上面に係止した状態となるため、器具本体２４の押上げを解除しても、器具本体２４を天井材１３に係止した状態を保ち、器具本体２４を天井材１３に仮止めできる。
【００２８】
器具本体２４の押し上げ過程で、吊ボルト１５の下端が器具本体２４の中央の吊ボルト取付孔３０を挿通しており、その吊ボルト１５の下端にナット３１を螺合し、このナット３１を工具などを用いて締め上げ、器具本体２４を天井側１２に確実に固定する。
【００２９】
そして、吊ボルト１５の下端にナット３１を螺合し、このナット３１を工具などを用いて締め上げる作業は、器具本体２４の枠形のランプ１８が配置される周辺域のランプ配置空間２５より内側の吊ボルト取付作業空間２６を利用できるため、施工作業に必要な十分なスペースを確保できる。
【００３０】
そのため、器具本体２４にランプ１８およびルーバー４２を取り付けたままでも、施工作業には支障がなく、しかも、施工作業をする吊ボルト取付作業空間２６とランプ１８およびルーバー４２を配置するランプ収納空間２５とを隔壁部２７で隔離し、さらに隔壁部２７内に点灯装置３９を設けているため、施工作業時におけるランプ１８や点灯装置３９に対する損傷のおそれがなく、ランプ１８や点灯装置３９を確実に保護できる。
【００３１】
したがって、器具本体２４にランプ１８およびルーバー４２を取り付けたまま施工でき、施工時のランプ１８およびルーバー４２の取付作業を省くことができ、施工の手間および時間を低減できる。
【００３２】
また、照明装置１１を施工場所に輸送するときにも、器具本体２４にランプ１８およびルーバー４２を取り付けた状態にでき、これらランプ１８およびルーバー４２を個別に包装したり、緩衝材を用いたりするのを省くことができ、包装材の使用量を低減できる。
【００３３】
また、図４に示すように、ランプ交換の際には、ルーバー４２の他辺を器具本体２４に係止している可動爪を器具本体２４から外し、ルーバー４２の他辺を器具本体２４から下げ、ルーバー４２の一辺を器具本体２４から外すことにより、ルーバー４２およびこのルーバー４２と一体にランプ１８を器具本体２４から外すことができる。そして、ルーバー４２のホルダ４６に対して新しいランプ１８に付け替え、ルーバー４２の一辺を器具本体２４側に引っ掛けた状態で、ルーバー４２の他辺を器具本体２４に押し上げて可動爪を器具本体２４に係止させることにより、ルーバー４２およびこのルーバー４２と一体にランプ１８を器具本体２４に装着できる。
【００３４】
本実施の形態の照明装置１１によれば、器具本体２４の枠形のランプ１８が配置される周辺域より内側の中央域に吊ボルト取付部２９を設けることで、吊ボルト１５に対し吊ボルト取付部２９を取り付ける施工作業に必要な十分なスペースを確保できる。そのため、器具本体２４にランプ１８およびルーバー４２を配置したまま施工でき、施工の手間や時間を低減できる。
【００３５】
しかも、器具本体２４の周辺部に設けた取付金具３６で器具本体２４の周辺部を天井材１３に対して支えることができるため、照明装置１１が薄形で、吊ボルト１５に取り付けられる器具本体２４の中央域に対して器具本体２４の周辺部が下方へ撓みやすくても、その器具本体２４の周辺部が下方へ撓むのを防止でき、器具本体２４の化粧枠３３と天井材１３との密着性を高めることができる。
【００３６】
また、ルーバー４２に設けたホルダ４６でルーバー４２にランプ１８を保持したため、ランプ１８とルーバー４２とを器具本体２４に対し一体に着脱でき、ランプ交換を容易にできる。
【００３７】
なお、枠形のランプ１８としては、四角形枠状（正方形枠状）に限らず、円形などの環状のランプ１８の場合にも適用できる。また、ランプ１８には、１つの口金２０の一端に発光管１９の両端を接続するとともに口金２０の他端に発光管１９の中間部を接続したツイン管タイプを用いることもできる。
【００３８】
また、枠形のランプ１８に代えて直管形のランプを用い、この直管形のランプを器具本体２４の周辺域にそれぞれ配置することもできる。
【００３９】
また、ランプ１８を保持するホルダ４６を器具本体２４側に取り付け、このホルダ４６によってランプ１８を器具本体２４に着脱可能に設けることもできる。
【００４０】
なお、ランプ１８を環状とした場合にはルーバー４２の形状を環状としてもよい。
【００４１】
【発明の効果】
請求項１記載の照明装置によれば、器具本体のランプが配置される周辺域より内側の中央域に吊ボルト取付部を設けることで、吊ボルトに対し吊ボルト取付部を取り付ける作業に必要な十分なスペースを確保できるため、器具本体にランプを取り付けたまま施工でき、施工の手間や時間を低減でき、しかも、器具本体の天井側へ埋め込まれる周辺部に設けた天井取付手段により、器具本体の周辺部を天井側に対して支えることができるため、吊ボルトに取り付けられる器具本体の中央域に対して器具本体の周辺部が下方へ撓むのを防止でき、器具本体の周辺部側と天井側との密着性を高めることができる。
【００４２】
請求項２記載の照明装置によれば、請求項１記載の照明装置の効果に加えて、吊ボルト取付部とランプとを隔壁部で隔離し、この隔壁部内にランプを点灯させる点灯装置を設けたため、ランプおよび点灯装置を確実に保護できる。
【００４３】
請求項３記載の照明装置によれば、請求項１または２記載の照明装置の効果に加えて、ランプとこのランプを保持したルーバーとを器具本体に対し一体に着脱でき、ランプ交換を容易にできる。
【図面の簡単な説明】
【図１】本発明の一実施の形態を示す照明装置の断面図である。
【図２】同上照明装置の天井取付手段の拡大断面図である。
【図３】同上照明装置の一部を切り欠いた下面図である。
【図４】同上照明装置のランプおよびルーバーの取付方法を示す断面図である。
【符号の説明】
１１    照明装置
１２    天井側
１５    吊ボルト
１８    ランプ
２４    器具本体
２７    隔壁部
２９    吊ボルト取付部
３５    天井取付手段
３９    点灯装置
４２    ルーバー
【図１】
2004342416.tif 000003
【図２】
2004342416.tif 000004
【図３】
2004342416.tif 000005
【図４】
2004342416.tif 000006